(57)【要約】【課題】長時間、品質を安定させながら温めることができる温熱システムを提供する。【解決手段】温熱システム１は、温室３と、温室３へフルボ酸含有温泉水１９を送出する第１のポンプ６を有する温熱装置２とを備える。温室３の壁部３Ｂそれぞれの内側面には、凹部３Ｄと凸部３Ｅが鉛直方向に設けられている。温室３内の空間に面した壁部３Ｂの面に噴射管１３が取付けられている。噴射管１３には、凹部３Ｄへ向けて開口した噴射口が形成されている。供給管６Ａの一端は第１のポンプ６と連通しており、供給管６Ａの他端は噴射管１３と連通している。温室３内の空間に面した壁部３Ｂの鉛直方向下側面に隣接して液体受容部１４が設けられている。液体受容部１４の底部に形成された排水口１６に回収管１２Ａの一端が連通し、回収管１２Ａの途中には第２のポンプ１２が取付けられており、回収管１２Ａの他端は温熱装置２と連通している。【選択図】図１
2020048679.tif 000002
【特許請求の範囲】
【請求項１】
液体を収容可能な収容部と、
該収容部に収容された前記液体を加熱可能な加熱部と、
加熱された前記液体を前記収容部から外部へ送出可能な第１の送出部と、
平面形状を有する床部と、
該床部に対して略直交する方向に延びて配置可能であり、かつ、鉛直方向に凹部と凸部が設けられた複数の壁部と、
該壁部の鉛直方向上部に配置可能であり、かつ、同壁部と前記床部との間に空間を形成可能な天井部と、
前記空間に面した前記壁部の鉛直方向上側面に取付可能であり、かつ、前記第１の送出部が送出する前記液体を流通可能であり、かつ、同液体を前記壁部の前記凹部へ向けて噴射可能な噴射口が形成された噴射管と、
前記空間に面した前記壁部の鉛直方向下側面に隣接すると共に同壁部の前記凹部と連通し、かつ、前記床部に対して略直交する方向へ突出した突出部で同床部の略中央領域と仕切られており、かつ、前記液体を受容可能な液体受容部と、
該液体受容部が受容した前記液体を前記収容部へ送出可能な第２の送出部とを備える
温熱システム。
【請求項２】
前記収容部に収容された前記液体の温度を測定可能な温度測定部と、
該温度測定部が測定して得られた温度情報を、通信回線を介して送信可能な温度情報送信部と、
該温度情報送信部が送信した前記温度情報を受信可能な端末とを備える
請求項１に記載の温熱システム。
【請求項３】
前記液体は、フルボ酸を含有する温泉水である
請求項１または請求項２に記載の温熱システム。
【請求項４】
液体を収容可能な収容部と、
該収容部に収容された前記液体を加熱可能な加熱部と、
加熱された前記液体を前記収容部から外部へ送出可能な第１の送出部と、
水平面に対して略直交する方向に延びて配置可能であり、かつ、鉛直方向に凹部と凸部が設けられたな複数の壁部と、
該壁部の鉛直方向上部に配置可能であり、かつ、同壁部と水平面との間に空間を形成可能な天井部と、
前記空間に面した前記壁部の鉛直方向上側面に取付可能であり、かつ、前記第１の送出部が送出する前記液体を流通可能であり、かつ、同液体を前記壁部の前記凹部へ向けて噴射可能な噴射口が形成された噴射管と、
前記空間に面した前記壁部の鉛直方向下側面に隣接すると共に同壁部の前記凹部と連通し、かつ、水平面に対して略直交する方向へ突出した突出部で、前記壁部の鉛直方向下側面に囲まれた水平面の略中央領域と仕切られており、かつ、前記液体を受容可能な液体受容部と、
該液体受容部が受容した前記液体を同液体受容部から前記収容部へ送出可能な第２の送出部とを備える
温熱システム。
【請求項５】
液体を収容可能な収容部と、
該収容部に収容された前記液体を加熱可能な加熱部と、
加熱された前記液体を前記収容部から外部へ送出可能な第１の送出部と、
平面形状を有する床部と、
該床部に対して略直交する方向に延びて配置可能な複数の壁部と、
該壁部の鉛直方向上部に配置可能であり、かつ、同壁部と前記床部との間に空間を形成可能な天井部と、
前記空間に面した前記壁部の鉛直方向上側面に取付可能であり、かつ、前記第１の送出部が送出する前記液体を流通可能であり、かつ、同液体を前記壁部へ向けて噴射可能な噴射口が形成された噴射管と、
前記空間に面した前記壁部の鉛直方向下側面に隣接し、かつ、前記床部に対して略直交する方向へ突出した突出部で同床部の略中央領域と仕切られており、かつ、前記液体を受容可能な液体受容部と、
該液体受容部が受容した前記液体を前記収容部へ送出可能な第２の送出部とを備える
温熱システム。
【発明の詳細な説明】
【技術分野】
【０００１】
本発明は温熱システムに関する。詳しくは、例えば人体や農産物を温めるための温熱システムに係るものである。
【背景技術】
【０００２】
体温を上げることで血液の流れが良くなり、その結果免疫力が高まることが知られている。
【０００３】
体温を上げて血行を良くする方法としては、例えば浴槽入浴やサウナ浴が挙げられる。
浴槽入浴においては、お湯の水圧が高齢者や心臓に持病のある人にとって息苦しさを感じる場合があるが、サウナ浴においては水圧が掛からないため、サウナ浴には温熱効果つまり人体を温める効果だけを得られるというメリットがある。
【０００４】
人体が温まると全身の血管が拡がり血液の流れが非常に良くなる。血液は人体の細胞に酸素や栄養を送り、細胞から二酸化炭素や老廃物を回収している。従って、血液の流れが良くなることで疲労が回復する。
また、血液の中には免疫機能を持った白血球が存在するので、血液の流れが良くなることで白血球が人体の中を活発に巡り、免疫力が高まる。
【０００５】
また、サウナ浴には乾式サウナ浴と湿式（ミスト）サウナ浴とがあり、従来、このようなサウナ浴について様々な技術が提案されている。
【０００６】
例えば特許文献１には、図４に示すようなミストサウナ装置のシステムが記載されている。
すなわち、特許文献１に記載のミストサウナ装置のシステムは、ミストサウナ用水活性用ジュエリー１１２及びミストサウナ用水１２２が入れられたミストサウナ用水タンク１２１と、ミストサウナ室１２７とを備える。
また、ミストサウナ用水タンク１２１の底部にはヒーター１２３が取付けられている。
【０００７】
また、ミストサウナ室１２７内には吹き出し口１２６が設けられている。また、吹き出し口１２６はチューブ１２５を介してミストサウナ用水タンク１２１と連通している。また、吹き出し口１２６には、ミストサウナ用水活性用ジュエリー１１２が入れられている。
【０００８】
ミストサウナ用水活性用ジュエリー１１２から放射される共鳴電磁波はミストサウナ用水１２２を活性化し、ミストサウナ用水１２２はヒーター１２３で加熱されて活性水蒸気１２４が発生する。
【０００９】
また、活性水蒸気１２４はチューブ１２５を通って吹き出し口１２６からミストサウナ室１２７内に吹き出される。そして、活性水蒸気１２４はミストサウナ室１２７内に充満し、ミストサウナ室１２７内の人体１２８に接触する。
【先行技術文献】
【特許文献】
【００１０】
【特許文献１】実用新案登録第３２１２６６８号公報
【発明の概要】
【発明が解決しようとする課題】
【００１１】
しかしながら、特許文献１に記載のミストサウナ装置のシステムは、発生させた活性水蒸気を再利用しておらず、補給しなければ比較的短い時間でミストサウナ用水がなくなってしまうという問題があった。
【００１２】
また、発生させた活性水蒸気を単に回収して再利用した場合、人体に接触した活性水蒸気を回収することになり、人体に接触した活性水蒸気は人体から出る汗や皮脂などと混ざっているため、そのような活性水蒸気を再利用すると衛生的に好ましくなく、サウナの品質は次第に低下すると言える。
【００１３】
本発明は、以上の点に鑑みて創案されたものであり、長時間、品質を安定させながら温めることができる温熱システムを提供することを目的とする。
【課題を解決するための手段】
【００１４】
上記の目的を達成するために、本発明の温熱システムは、液体を収容可能な収容部と、該収容部に収容された前記液体を加熱可能な加熱部と、加熱された前記液体を前記収容部から外部へ送出可能な第１の送出部と、平面形状を有する床部と、該床部に対して略直交する方向に延びて配置可能であり、かつ、鉛直方向に凹部と凸部が設けられた複数の壁部と、該壁部の鉛直方向上部に配置可能であり、かつ、同壁部と前記床部との間に空間を形成可能な天井部と、前記空間に面した前記壁部の鉛直方向上側面に取付可能であり、かつ、前記第１の送出部が送出する前記液体を流通可能であり、かつ、同液体を前記壁部の前記凹部へ向けて噴射可能な噴射口が形成された噴射管と、前記空間に面した前記壁部の鉛直方向下側面に隣接すると共に同壁部の前記凹部と連通し、かつ、前記床部に対して略直交する方向へ突出した突出部で同床部の略中央領域と仕切られており、かつ、前記液体を受容可能な液体受容部と、該液体受容部が受容した前記液体を前記収容部へ送出可能な第２の送出部とを備える。
【００１５】
ここで、天井部と壁部と床部との間の空間に面した壁部の鉛直方向上側面に取付可能であり、かつ、第１の送出部が送出する液体を流通可能であり、かつ、液体を壁部の凹部へ向けて噴射可能な噴射口が形成された噴射管によって、凹部に当たった液体の一部を霧（ミスト）状にして天井部と壁部と床部とに囲まれた空間に供給できる。
【００１６】
また、液体を壁部の凹部へ向けて噴射可能な噴射口が形成された噴射管と、天井部と壁部と床部との間の空間に面した壁部の鉛直方向下側面に隣接すると共に壁部の凹部と連通し、かつ、床部に対して略直交する方向へ突出した突出部で床部の略中央領域と仕切られており、かつ、液体を受容可能な液体受容部とによって、凹部に当たった液体のうち霧状にならなかったものが凹部を伝って鉛直方向下方へ流れ、そして液体受容部へ流れ込むことができ、また、霧状になった液体が人体などに接触して汗と混じって床部に落ちた混合液が、液体受容部へ流れ込んだ液体と混ざらないようにすることができる。
【００１７】
また、壁部に設けられた鉛直方向の凹部によって、凹部に当たった液体が凹部を伝って鉛直方向下方へ流れ易い。
【００１８】
また、液体受容部が受容した液体を収容部へ送出可能な第２の送出部によって、第１の送出部が送出した液体を部分的に回収して再び第１の送出部から送出することができるようになる。すなわち液体を循環することができる。
【００１９】
また、本発明の温熱システムは、収容部に収容された液体の温度を測定可能な温度測定部と、温度測定部が測定して得られた温度情報を、通信回線を介して送信可能な温度情報送信部と、温度情報送信部が送信した温度情報を受信可能な端末とを備える構成とすることができる。
【００２０】
この場合、温熱システムの管理者が、天井部と壁部と床部とで囲まれた空間例えば温室から離れた場所にいても、温度が適温であるか否かを確認することができる。
【００２１】
また、本発明の温熱システムにおいて、液体は、フルボ酸を含有する温泉水であるという構成とすることができる。
【００２２】
この場合、天井部と壁部と床部とで囲まれた空間に滞在する人などに、フルボ酸を含有する温泉に入浴した場合と同様の効能を与えることができる。
また、フルボ酸を含有する温泉水は酸化を抑制するため、機械設備が水分を扱っても機械設備を錆び難くすることができる。
【００２３】
また、上記の目的を達成するために、本発明の温熱システムは、液体を収容可能な収容部と、該収容部に収容された前記液体を加熱可能な加熱部と、加熱された前記液体を前記収容部から外部へ送出可能な第１の送出部と、水平面に対して略直交する方向に延びて配置可能であり、かつ、鉛直方向に凹部と凸部が設けられたな複数の壁部と、該壁部の鉛直方向上部に配置可能であり、かつ、同壁部と水平面との間に空間を形成可能な天井部と、前記空間に面した前記壁部の鉛直方向上側面に取付可能であり、かつ、前記第１の送出部が送出する前記液体を流通可能であり、かつ、同液体を前記壁部の前記凹部へ向けて噴射可能な噴射口が形成された噴射管と、前記空間に面した前記壁部の鉛直方向下側面に隣接すると共に同壁部の前記凹部と連通し、かつ、水平面に対して略直交する方向へ突出した突出部で、前記壁部の鉛直方向下側面に囲まれた水平面の略中央領域と仕切られており、かつ、前記液体を受容可能な液体受容部と、該液体受容部が受容した前記液体を同液体受容部から前記収容部へ送出可能な第２の送出部とを備える。
【００２４】
ここで、天井部と壁部と水平面との間の空間に面した壁部の鉛直方向上側面に取付可能であり、かつ、第１の送出部が送出する液体を流通可能であり、かつ、液体を壁部の凹部へ向けて噴射可能な噴射口が形成された噴射管によって、凹部に当たった液体の一部を霧（ミスト）状にして天井部と壁部と水平面とに囲まれた空間に供給できる。
【００２５】
また、液体を壁部の凹部へ向けて噴射可能な噴射口が形成された噴射管と、天井部と壁部と水平面との間の空間に面した壁部の鉛直方向下側面に隣接すると共に壁部の凹部と連通し、かつ、水平面に対して略直交する方向へ突出した突出部で、壁部の鉛直方向下側面に囲まれた水平面の略中央領域と仕切られており、かつ、液体を受容可能な液体受容部とによって、凹部に当たった液体のうち霧状にならなかったものが凹部を伝って鉛直方向下方へ流れ、そして液体受容部へ流れ込むことができ、また、壁部の鉛直方向下側面に囲まれた水平面の略中央領域に存在する液体が、液体受容部へ流れ込んだ液体と混ざらないようにすることができる。
【００２６】
また、壁部に設けられた鉛直方向の凹部によって、凹部に当たった液体が凹部を伝って鉛直方向下方へ流れ易い。
【００２７】
また、液体受容部が受容した液体を液体受容部から収容部へ送出可能な第２の送出部によって、第１の送出部が送出した液体を部分的に回収して再び第１の送出部から送出することができるようになる。すなわち液体を循環することができる。
【００２８】
また、天井部が壁部と水平面との間に空間を形成可能であることによって、例えば畑のような地面を含んだ空間を形成して、人体だけでなく農産物をも温めることができる。
【００２９】
また、上記の目的を達成するために、本発明の温熱システムは、液体を収容可能な収容部と、該収容部に収容された前記液体を加熱可能な加熱部と、加熱された前記液体を前記収容部から外部へ送出可能な第１の送出部と、平面形状を有する床部と、該床部に対して略直交する方向に延びて配置可能な複数の壁部と、該壁部の鉛直方向上部に配置可能であり、かつ、同壁部と前記床部との間に空間を形成可能な天井部と、前記空間に面した前記壁部の鉛直方向上側面に取付可能であり、かつ、前記第１の送出部が送出する前記液体を流通可能であり、かつ、同液体を前記壁部へ向けて噴射可能な噴射口が形成された噴射管と、前記空間に面した前記壁部の鉛直方向下側面に隣接し、かつ、前記床部に対して略直交する方向へ突出した突出部で同床部の略中央領域と仕切られており、かつ、前記液体を受容可能な液体受容部と、該液体受容部が受容した前記液体を前記収容部へ送出可能な第２の送出部とを備える。
【００３０】
ここで、天井部と壁部と床部との間の空間に面した前記壁部の鉛直方向上側面に取付可能であり、かつ、第１の送出部が送出する液体を流通可能であり、かつ、液体を壁部へ向けて噴射可能な噴射口が形成された噴射管によって、壁部に当たった液体の一部を霧（ミスト）状にして天井部と壁部と床部とに囲まれた空間に供給できる。
【００３１】
また、液体を壁部へ向けて噴射可能な噴射口が形成された噴射管と、天井部と壁部と床部との間の空間に面した壁部の鉛直方向下側面に隣接し、かつ、床部に対して略直交する方向へ突出した突出部で床部の略中央領域と仕切られており、かつ、液体を受容可能な液体受容部とによって、壁部に当たった液体のうち霧状にならなかったものが壁部を伝って鉛直方向下方へ流れ、そして液体受容部へ流れ込むことができ、また、霧状になった液体が人体などに接触して汗と混じって床部に落ちた混合液が、液体受容部へ流れ込んだ液体と混ざらないようにすることができる。
【００３２】
また、液体受容部が受容した液体を収容部へ送出可能な第２の送出部によって、第１の送出部が送出した液体を部分的に回収して再び第１の送出部から送出することができるようになる。すなわち液体を循環することができる。
【発明の効果】
【００３３】
本発明に係る温熱システムは、長時間、品質を安定させながら温めることができる。
【図面の簡単な説明】
【００３４】
【図１】本発明を適用した温熱システムの構成の一例を示す概略図である。
【図２】本発明を適用した温熱システムの壁部の鉛直方向上側と噴射管を水平方向に切断した概略部分断面図である。
【図３】本発明を適用した温熱システムの壁部の鉛直方向下側の部分断面と液体受容部とを示す概略図である。
【図４】従来のミストサウナ装置を示す概略図である。
【発明を実施するための形態】
【００３５】
以下、本発明の実施の形態について図面を参照しながら説明し、本発明の理解に供する。
図１は、本発明を適用した温熱システムの構成の一例を示す概略図である。また、図２は、本発明を適用した温熱システムの壁部の鉛直方向上側と噴射管を水平方向に切断した概略部分断面図である。また、図３は、本発明を適用した温熱システムの壁部の鉛直方向下側の部分断面と液体受容部とを示す概略図である。
【００３６】
本発明の温熱システム１は、温室３と、温室３へ液体を送出可能な第１のポンプ６を有する温熱装置２と、温室３から排出された液体を温熱装置２へ送出可能な第２のポンプ１２とを備える。
すなわち、本発明の温熱システム１は、温熱装置２と温室３との間で液体を循環することができる。
【００３７】
図１に示す例は、液体としてフルボ酸含有温泉水１９を使用した例であるが、本発明の温熱システム１において使用される液体はこれに限定されないことは勿論であり、例えば通常の水や、フルボ酸を含まない温泉水を使用することもできる。
【００３８】
また、温熱装置２は、フルボ酸含有温泉水１９を収容可能な収容部４を有する。
【００３９】
また、温熱装置２は、収容部４に収容されたフルボ酸含有温泉水１９を加熱可能な加熱部５を有する。
【００４０】
また、第１のポンプ６は、加熱部５によって加熱されたフルボ酸含有温泉水１９を温室３へ送出可能である。
すなわち、第１のポンプ６に供給管６Ａの一端が連通されており、また、供給管６Ａの他端は温室３に連通されており、第１のポンプ６が送出したフルボ酸含有温泉水１９は供給管６Ａを通って温室３へ供給される。
【００４１】
収容部４は、本体４Ａを有する。
ここで本体４Ａは、内部にフルボ酸含有温泉水１９を収容可能な空間が形成されており、また、この空間と外部とを連通する開口部が上部に形成されている。
【００４２】
また、収容部４は、蓋体４Ｂを有する。
ここで蓋体４Ｂは、揺動可能に本体４Ａに取付けられており、また、本体４Ａの上部に形成された開口部を開閉可能に覆う。
【００４３】
また、開口部を覆ったときにフルボ酸含有温泉水１９が収容される空間へ向く蓋体４Ｂの面には、フルボ酸含有温泉水１９を殺菌処理するための殺菌灯７が取付けられている。
ここで殺菌灯７は紫外線などを照射可能である。
【００４４】
また、本体４Ａの底には、収容されたフルボ酸含有温泉水１９を排水するための排水口４Ｃが形成されている。
また、排水口４Ｃには排水管４Ｄの一端が連通しており、排水管４Ｄの他端は第１のポンプ６に連通している。
【００４５】
また、温熱装置２は、温度測定部８を有する。
ここで温度測定部８は、収容部４の本体４Ａの内側面に取付けられており、収容部４の本体４Ａに収容されたフルボ酸含有温泉水１９の温度を測定可能である。
【００４６】
また、温熱装置２は、温度情報送信部９を有する。
ここで温度情報送信部９は、温度測定部８が測定して得られたフルボ酸含有温泉水１９の温度情報を、インターネット１８を介して送信可能である。
また、インターネットは通信回線の一例であり、例えば無線ＬＡＮ通信回線を使用してＷｉ−Ｆｉ通信を行うこともできる。
【００４７】
また、本発明の温熱システム１は、タブレット端末１７を備える。
ここでタブレット端末１７は、温度情報送信部９が送信した温度情報を受信可能である。
また、タブレット端末は端末の一例であり、スマートフォンやノートパソコンなどを使用することもできることは勿論である。
【００４８】
また、温熱装置２は、制御部１０を有する。
ここで制御部１０は、加熱部５や第１のポンプ６が稼働しているか否かを告知するランプ１１を有する。
また、温度情報送信部９は制御部１０に内蔵されているが、この構成に限定されるものではないことは勿論である。
【００４９】
また、図示していないが、制御部１０は、加熱部５がフルボ酸含有温泉水１９を加熱して到達させる温度を設定するためのスイッチや、温度測定部８が測定したフルボ酸含有温泉水１９の温度を表示する表示パネルや、温度測定部８が測定したフルボ酸含有温泉水１９の温度が設定された温度から所定の値以上離れている場合に異常であることを告知する異常告知ランプを有する。
【００５０】
また、本発明の温熱システム１は、図示していないがシステム全体を稼働させたり、停止させたりするための電源スイッチを備えている。
また、図示していないが制御部１０は、加熱部５と、第１のポンプ６及び第２のポンプ１２と、殺菌灯７それぞれ専用のスイッチを有する。従って、例えば加熱部５と殺菌灯７を稼働させているが、第１のポンプ６と第２のポンプ１２を停止させることができる。
【００５１】
また、温室３は、平面形状を有する床部３Ａを有する。
ここで床部３Ａの略中央領域には、吸水性を有する吸水性マット１５が載置されている。
また、吸水性マット１５の上には長椅子などを載置することもできる。
【００５２】
また、温室３は、４つの壁部３Ｂを有する。なお、図１に示す温室３は、その断面が示されているので壁部３Ｂの数は３つである。
また、図示していない壁部に、出入口が形成されている。
【００５３】
ここで、壁部３Ｂはそれぞれ、床部３Ａに対して略直交する方向に延びて床部３Ａに取付けられている。
また、壁部３Ｂそれぞれの内側面すなわち、天井部３Ｃが壁部３Ｂと床部３Ａとの間に形成した空間である温室３内の空間へ向けられた面には、凹部３Ｄと凸部３Ｅが鉛直方向に設けられている。
【００５４】
また、温室３は天井部３Ｃを有する。
ここで天井部３Ｃは、壁部３Ｂの鉛直方向上部に取付けられている。また、天井部３Ｃは、壁部３Ｂと床部３Ａとの間に空間を形成している。
【００５５】
また、温室３は噴射管１３を有する。
ここで噴射管１３は、天井部３Ｃが壁部３Ｂと床部３Ａとの間に形成した空間すなわち温室３内の空間に面した壁部３Ｂの鉛直方向上側面に、壁部３Ｂの鉛直方向上側面から一定の距離ほど離されて取付けられている。
【００５６】
また、噴射管１３は供給管６Ａと連通しており、第１のポンプ６が送出したフルボ酸含有温泉水１９は供給管６Ａを通って噴射管１３へ供給される。
【００５７】
また、図２に示すように、噴射管１３には、壁部３Ｂに設けられた複数の凹部３Ｄへ向けてそれぞれ開口した複数の噴射口１３Ａが形成されている。
なお、凹部３Ｄへ向けて開口した噴射口１３Ａが形成されているのであれば、凸部３Ｅへ向けて開口した噴射口が形成されていてもよいことは勿論である。
【００５８】
また、温室３は液体受容部１４を有する。
ここで液体受容部１４は、温室３内の空間に面した壁部３Ｂの鉛直方向下側面に隣接している。
また、液体受容部１４は、壁部３Ｂに設けられた凹部３Ｄと連通している。
また、液体受容部１４は、床部３Ａに対して略直交する方向へ突出した突出部１４Ａで、床部３Ａの略中央領域と仕切られている。
また、突出部１４Ａは壁部３Ｂから離れて位置しており、突出部１４Ａと壁部３Ｂとの間には、壁部３Ｂの凹部３Ｄを伝って落下してきたフルボ酸含有温泉水１９を受容するための空間が形成されており、液体受容部１４は液体を受容可能となっている。
【００５９】
また、図１及び図３に示すように、突出部１４Ａは、壁部３Ｂが延びる方向に対して略直交する方向に延びている。
【００６０】
また、液体受容部は必ずしもこのような構成でなくてもよく、例えば長手方向を有する略Ｌ字形部材の内側の垂直面が壁部へ向くように、かつ、長手方向が壁部の延びる方向に対して略直交する方向へ向くように、かつ、壁部に隣接するように略Ｌ字形部材を床部に載置して液体受容部とすることもできる。
【００６１】
また、図３に示すように、壁部３Ｂの角部に隣接した液体受容部１４の底部には、液体受容部１４が受容したフルボ酸含有温泉水１９を温室３の外部へ排出するための排水口１６が形成されている。
【００６２】
ここで、フルボ酸含有温泉水１９が排水口１６へ向けて液体受容部１４内を流れるようにするために、液体受容部１４の底部の高さは排水口１６へ向けて徐々に低くなっている、すなわち傾斜している。
【００６３】
また、排水口１６には回収管１２Ａの一端が連通しており、回収管１２Ａの他端は収容部４の本体４Ａの内部に形成された空間に連通している。
また、回収管１２Ａの途中には、第２のポンプ１２が取付けられており、排水口１６から排出されたフルボ酸含有温泉水１９を温熱装置２の収容部４へ送出する。
【００６４】
本発明の温熱システムにおいて、必ずしも温度測定部と、温度情報送信部と、端末とが備わっていなくてもよい。
しかし、温度測定部と、温度情報送信部と、端末とが備わっていると、温熱システムの管理者が、天井部と壁部と床部とで囲まれた空間例えば温室から離れた場所にいても、温度が適温であるか確認することができるので好ましい。
【００６５】
また、本発明の温熱システムにおいて、必ずしもフルボ酸含有温泉水を使用しなくてもよい。
しかし、フルボ酸含有温泉水を使用すれば、天井部と壁部と床部とで囲まれた空間すなわち温室内に滞在する人などに、フルボ酸を含有する温泉に入浴した場合と同様の効能を与えることができるので好ましい。
また、フルボ酸含有温泉水は硫黄分や塩分を含んでおらず酸化を抑制するので、本発明の温熱システムにおいて機械設備が水分を扱っても機械設備を錆び難くすることができ、好ましい。
【００６６】
フルボ酸の人体に対する主な効能は、体内におけるミネラルバランスを強力なキレート作用により整えることである。このキレート作用によって、薬の副作用を抑え、薬の効き目を向上させることができる。
【００６７】
キレート作用とは、ミネラルなどを掴んだり離したりする作用であり、ミネラルを永続的にイオン交換できる。
このイオン交換の働きで、老化原因の一つである活性酸素やフリーラジカルの分子構造を分離し、その活動を抑制できる。
また、キレート作用が促進されることで、ミネラルが各酵素の働きを活性化し、その酵素がビタミン、糖質、脂質及びタンパク質を活発化させる。
【００６８】
また、本発明の温熱システムにおいて、壁部には必ずしも凹部と凸部が設けられていなくてもよく、例えば表面が平らな壁部を使用することもできる。
しかし、鉛直方向に延びる凹部が壁部に設けられていれば、凹部に当たった液体が凹部を伝って鉛直方向下方へ流れ易いので好ましい。
【００６９】
次に、本発明の温熱システムの使用方法を説明する。
【００７０】
温熱装置２の蓋体４Ｂを開け、本体４Ａの内部に形成された空間にフルボ酸含有温泉水１９を注ぎ込み、そして蓋体４Ｂを閉める。このとき、本体４Ａの底に形成された排水口４Ｃは、図示されていないが栓で閉じられている。
【００７１】
また、本発明の温熱システム１の電源をオンにする。
このとき、第１のポンプ６及び第２のポンプ１２の専用スイッチをそれぞれオフにしておく。
【００７２】
本発明の温熱システム１の電源がオンになることによって、温熱装置２の加熱部５がフルボ酸含有温泉水１９の加熱を開始し、また、殺菌灯７が点灯してフルボ酸含有温泉水１９の殺菌を開始する。また、温度測定部８がフルボ酸含有温泉水１９の温度測定を開始する。
【００７３】
また、温熱装置２の制御部１０が有する温度設定のスイッチを操作して、加熱部５がフルボ酸含有温泉水１９を加熱して到達させる温度例えば４５℃を設定する。
【００７４】
そして、温度測定部８が測定したフルボ酸含有温泉水１９の温度が設定温度に到達するよう、加熱部５がフルボ酸含有温泉水１９を加熱する。
また、設定温度に到達した後は、加熱部５は設定温度が維持されるようにフルボ酸含有温泉水１９を加熱する。
【００７５】
また、温度測定部８が、一定間隔例えば５分毎にフルボ酸含有温泉水１９の温度を測定する。
また、温度情報送信部９が、温度測定部８が測定して得られたフルボ酸含有温泉水１９の温度情報を、インターネット１８を介してタブレット端末１７へ送信する。
【００７６】
フルボ酸含有温泉水１９の温度が設定温度に到達したら、第１のポンプ６及び第２のポンプ１２の専用スイッチをそれぞれオンにする。また、排水口４Ｃの栓を外す。
すると、本体４Ａの内部に形成された空間に収容されたフルボ酸含有温泉水１９が、排水口４Ｃから排水され、排水口４Ｃに連通した排水管４Ｄを通って第１のポンプ６へ到達する。
【００７７】
そして、第１のポンプ６が圧力を加えてフルボ酸含有温泉水１９を送出し、送出されたフルボ酸含有温泉水１９は、第１のポンプ６に連通した供給管６Ａを通って噴射管１３へ流れる。
【００７８】
噴射管１３へ流れ込んだフルボ酸含有温泉水１９は、第１のポンプ６から加えられた圧力の勢いで噴射管１３内を流通すると共に、壁部３Ｂに設けられた複数の凹部３Ｄへ向けてそれぞれ開口した複数の噴射口１３Ａを通って、凹部３Ｄへ噴射される。
【００７９】
噴射口１３Ａから噴射されたフルボ酸含有温泉水１９は、壁部３Ｂに設けられた凹部３Ｄに当たる。当たったフルボ酸含有温泉水１９の一部は、当たったときの衝撃で霧（ミスト）状になり、霧状になったフルボ酸含有温泉水１９が温室３内の空間に充満する。
【００８０】
従って、温室３内に滞在する人は、霧状のフルボ酸含有温泉水１９を身体全体に浴びることができ、身体が温められて血行が良くなる。
【００８１】
また、壁部３Ｂの凹部３Ｄに当たったフルボ酸含有温泉水１９のうち霧状にならなかったものは、凹部３Ｄを伝って鉛直方向下方へ流れ、そして液体受容部１４へ流れ込む。
そして、液体受容部１４へ流れ込んだフルボ酸含有温泉水１９は、液体受容部１４の底部に形成された排水口１６へ向けて流れる。
【００８２】
排水口１６へ流れ込んだフルボ酸含有温泉水１９は、排水口１６に連通した回収管１２Ａへ流れ込み、さらに第２のポンプ１２によって回収管１２Ａを通って、温熱装置２の収容部４である本体４Ａの内部に形成された空間へと送出される。
【００８３】
温熱装置２の本体４Ａの内部へ回収されたフルボ酸含有温泉水１９は、すでに本体４Ａの内部に収容されていたフルボ酸含有温泉水１９と混ざり、加熱部５によって加熱される。
【００８４】
この後は同じように、加熱されたフルボ酸含有温泉水１９を第１のポンプ６が送出し、送出されたフルボ酸含有温泉水１９は、第１のポンプ６に連通した供給管６Ａを通って噴射管１３へ流れる。
このように、フルボ酸含有温泉水１９を循環させる。
【００８５】
また、本発明の温熱システムは、暖かい気候を好む農産物例えばバナナを温めるために使用することもできる。
【００８６】
すなわち、鉛直方向に凹部と凸部が設けられた、かつ、水平面に対して略直交する方向に延びた壁部を、水平面に設けられたバナナ畑を囲むように配置し、また、壁部の鉛直方向上部に天井部を取付ける。
従って、人体を温める場合の温室に相当する設備が組立てられる。
この場合、バナナ畑の中のバナナが栽培されている領域が、壁部の鉛直方向下側面に囲まれた水平面の略中央領域である。
【００８７】
また、この場合、温室３の床部３Ａに相当する部材がなく、壁部の凹部を伝って鉛直方向下方へ流れた液体が土壌に吸収されてしまう。従って、液体受容部として、例えば長手方向を有する略Ｌ字形部材を用いる。
【００８８】
ここで、略Ｌ字形部材の内側の垂直面が壁部へ向くように、かつ、長手方向が壁部の延びる方向に対して略直交する方向へ向くように、かつ、壁部に隣接するように略Ｌ字形部材をバナナ畑の土壌に載置して液体受容部とする。
すなわち、略Ｌ字形部材の垂直部分が、水平面に対して略直交する方向へ突出した突出部に相当し、略Ｌ字形部材の垂直部分でバナナ畑の中のバナナが栽培されている領域と仕切られている。
【００８９】
また、バナナを温める場合でも、人体を温める場合と同様に、フルボ酸含有温泉水１９や、温熱装置２や、噴射管１３を使用してフルボ酸含有温泉水１９を循環してバナナを温める。
【００９０】
また、バナナに限らず、暖かい気候を好むその他の農産物例えば、パパイア、マンゴー、パイナップル、ドリアン、ライチ、グアバ及びアボガドを温めるために、本発明の温熱システムを使用できることは勿論である。
【００９１】
以上のように、本発明の温熱システムは、フルボ酸含有温泉水すなわち液体を壁部の凹部へ向けて噴射可能な噴射口が形成された噴射管を備えているので、凹部に当たった液体の一部を霧状にして、温室内の空間あるいは温室に相当する設備内の空間に供給できる。
【００９２】
また、本発明の温熱システムは、このような噴射管と、液体受容部とを備えているので、凹部に当たった液体のうち霧状にならなかったものが凹部を伝って鉛直方向下方へ流れ、そして液体受容部へ流れ込むことができ、また、霧状になった液体が人体などに接触して汗と混じって床部に落ちた混合液が、壁部の凹部を伝って液体受容部へ流れ込んだ液体と混ざらないようにすることができ、清潔である。
【００９３】
また、本発明の温熱システムは、第２の送出部を備えているので、第１の送出部が送出した液体を部分的に回収して再び第１の送出部から送出することができる、すなわち液体を循環することができる。
【００９４】
従って、本発明の温熱システムは、長時間、品質を安定させながら、温室内に滞在する人体や設備内にある農産物などを温めることができる。
【符号の説明】
【００９５】
１    温熱システム
２    温熱装置
３    温室
３Ａ  床部
３Ｂ  壁部
３Ｃ  天井部
３Ｄ  凹部
３Ｅ  凸部
４    収容部
４Ａ  本体
４Ｂ  蓋体
４Ｃ  排水口
４Ｄ  排水管
５    加熱部
６    第１のポンプ
６Ａ  供給管
７    殺菌灯
８    温度測定部
９    温度情報送信部
１０    制御部
１１    ランプ
１２    第２のポンプ
１２Ａ  回収管
１３    噴射管
１３Ａ  噴射口
１４    液体受容部
１４Ａ  突出部
１５    吸水性マット
１６    排水口
１７    タブレット端末
１８    インターネット
１９    フルボ酸含有温泉水
【図１】
2020048679.tif 000003
【図２】
2020048679.tif 000004
【図３】
2020048679.tif 000005
【図４】
2020048679.tif 000006